(57)【要約】      （修正有）【課題】魚類と野菜の共生場を提供する。【解決手段】魚類と野菜の共生場は、ラック体２０の下面に養殖箱１０が、その上面に植物植栽槽３０が設けられ、植物植栽槽３０の両側に入水タンク４０と、出水タンク５０とが設けられ、最上層の入水タンク４０近傍に濾過セット６０が設けられると共に、給水管６４を介して養殖箱の揚水モータと連結し、出水座５２に出水孔が設けられ、天蓋の底部に透孔が設けられ、出水孔が下向きに出水管に接続され、出水管内にサイホン管が設けられ、その外壁に位置決めラチェットが設けられることにより、出水管の位置高低を調整することで、溢水時の水位高低を制御するようにし、管ジョイントと排水管とが設けられ、排水管５５６を介して下層の入水タンク４０に連結され、水を上から下へと一層ずつ順次に植物植栽槽３０を流通させることで、植物は水中の肥料を吸収摂取し、濾過浄化後の水を再び養殖箱１０内に流れ戻すことができる。【選択図】図１７
2018201507.tif 000002
【特許請求の範囲】
【請求項１】
ラック体の下面は、養殖箱の配置のために供され、前記養殖箱の内部に揚水モータが設けられ、前記ラック体の上面は、複数個の植物植栽槽の配置のために供され、当該植物植栽槽の両側にそれぞれ入水タンクと、出水タンクとが設けられ、前記入水タンクと、前記出水タンクとにそれぞれ入水座と、出水座とが設けられ、前記入水座と、前記出水座とにそれぞれ入水管と、出水管とが設けられ、前記出水管を介して下層の前記入水タンクと連結する魚類と野菜の共生場であって、
最上層の前記入水タンク近傍に濾過セットが設けられると共に、前記入水管を介して前記濾過セットの上方部位に案内接続され、前記濾過セットの中間に前記養殖箱の前記揚水モータと連結する給水管が設けられ、前記濾過セットの内部に前記入水管と前記給水管との間に介在し、濾過綿を挟持するための上、下２枚のくり抜きの挟み板が設けられ、前記濾過セットの内部下方部位に肥料発酵貯蔵タンクと、放出管とが設けられ、前記養殖箱の汚水は、前記揚水モータを経由して前記濾過セットの内部まで汲み運ばれるとき、まず、前記濾過綿を利用して魚の排泄物と不純物を濾過して、前記濾過綿の底面に付着したこれらの排泄物と不純物は、前記給水管の水流を経由して下方の前記肥料発酵貯蔵タンク内へ洗い流されることで、より小分子の肥料になるように発酵させ、発酵してなるこれらのより小分子の肥料を、下から上への水流に乗って前記濾過綿を通過して、再び前記入水タンク内へ放出してから、前記入水タンクから均等に分配して複数個の植物植栽槽内に流入させることで、水をＳ字形に沿って上から下へと一層ずつ順次に前記複数個の植物植栽槽を流通させ、水中に含有するより小分子の肥料は、植物の育成に必要な栄養素として提供され、濾過浄化後の水を再び養殖箱内に流れ戻すことを特徴とする魚類と野菜の共生場。
【請求項２】
ラック体の下面は、養殖箱の配置のために供され、前記養殖箱の内部に揚水モータが設けられ、前記ラック体の上面は、複数個の植物植栽槽の配置のために供され、当該植物植栽槽の両側にそれぞれ入水タンクと、出水タンクとが設けられ、前記入水タンクと、前記出水タンクとにそれぞれ入水座と、出水座とが設けられ、前記入水座と、前記出水座とにそれぞれ入水管と、出水管とが設けられ、前記出水管を介して下層の前記入水タンクと連結する魚と野菜の共生場であって、
前記複数個の植物植栽槽の両側に中空を呈する外ねじ歯と、穿孔とが設けられ、相隣の当該植物植栽槽は、外ねじ歯を利用して別の当該植物植栽槽の穿孔に貫設されてから、ナットを介して一体的に締着するようにすることにより、前記複数個の植物植栽槽を一体的に直列接続してなり、前記入水タンクと前記出水タンクとの当該植物植栽槽の穿孔と外ねじ歯とに対応する部位に中空を呈する外ねじ歯と、穿孔とが設けられ、外ねじ歯は、前記穿孔内に貫入されると共に、ナットを介して一体的に締着するようにし、前記複数個の植物植栽槽と、複数個の前記入水座と、複数個の前記出水座との上方に複数個の蓋体が設けられ、当該蓋体の表面に大きさ不揃いのプラントポットの配置のための複数個の大孔と、複数個の小孔とが設けられ、大、小不揃いの植物を植栽するために供されることを特徴とする魚類と野菜の共生場。
【請求項３】
ラック体の下面は、養殖箱の配置のために供され、前記養殖箱の内部に揚水モータが設けられ、前記ラック体の上面は、複数個の植物植栽槽の配置のために供され、当該植物植栽槽の両側にそれぞれ入水タンクと、出水タンクとが設けられ、前記入水タンクと、前記出水タンクとにそれぞれ入水座と、出水座とが設けられ、前記入水座と、前記出水座とにそれぞれ入水管と、出水管とが設けられ、前記出水管を介して下層の前記入水タンクと連結する魚類と野菜の共生場であって、
当該植物植栽槽の底部に植物の根が水の流路を閉塞するのを防ぐための弧状仕切板が設けられ、前記弧状仕切板の両側に波状配置を呈する複数個の通孔が設けられ、水を前後、上下、左右に円滑に循環流通させることで、水中の排泄物と残餌は水流に乗って除去され、植物の根系に挟まれることなく、植物の根系には、空気と養分をスムーズに吸収させることを特徴とする魚類と野菜の共生場。
【請求項４】
前記ラック体は、複数個のジョイントと、複数本の垂直管と、複数本の水平管と、複数本の調整管と、複数個の脚座と、複数本の嵌挿ピンと、複数枚の止め片とから組み合わせてなり、当該ジョイントの内部は、中空状を呈し、当該ジョイントの両側に垂直配置を呈する２本のスリーブ接続管が設けられ、当該ジョイントの上、下は、２本の当該垂直管を挿設・案内接続するために供され、前記２本のスリーブ接続管は、２本の当該水平管を挿設・案内接続するために供され、最底面の当該ジョイントの下方に当該調整管が設けられ、当該調整管の下方に外ねじ山が設けられ、当該脚座の上方に内ねじ山が設けられ、当該脚座の内ねじ山を当該調整管の外ねじ山内に締め付けることによって、当該脚座は、地形の高低差に応じて伸長したり、短縮したりするように調整可能であり、当該ジョイント、当該スリーブ接続管と、当該垂直管、当該水平管、当該調整管との案内接続部位に対応の透孔が設けられ、透孔は、当該嵌挿ピンを挿設するために供されると共に、当該止め片を介して止着され、当該嵌挿ピンの延出端に環状溝が設けられ、当該止め片の当該環状溝に対応する部位に止め輪が設けられ、当該止め片の当該止め輪が当該嵌挿ピンの当該環状溝内に止着することにより、複数層の陳列空間を有するラック体を組み合わせてなることを特徴とする請求項１に記載の魚類と野菜の共生場。
【請求項５】
当該植物植栽槽と、両側の前記入水タンク、前記出水タンクとの間に、当該植物植栽槽と、両側の前記入水タンクと、前記出水タンクとを一体的に連結固定するための複数枚のコ字形固定板が設けられることを特徴とする請求項１に記載の魚類と野菜の共生場。
【請求項６】
前記入水座上に入水口が設けられ、最上層の前記入水口は、前記入水管を前記濾過セットの上方部位に案内接続するために供され、残りの前記入水口は、上一層の前記出水タンクの前記出水管との案内接続のために供され、前記入水座によって水の噴出を防止することを特徴とする請求項１に記載の魚類と野菜の共生場。
【請求項７】
当該植物植栽槽の両側に中空を呈する外ねじ歯と、穿孔とが設けられ、相隣の当該植物植栽槽は、外ねじ歯を利用して別の当該植物植栽槽の穿孔に貫設されてから、ナットを介して一体的に締着するようにすることにより、前記複数個の植物植栽槽を一体的に直列接続してなり、前記入水タンクと前記出水タンクとの当該植物植栽槽の穿孔と外ねじ歯とに対応する部位に中空を呈する外ねじ歯と、穿孔とが設けられ、外ねじ歯は、穿孔内に貫入されると共に、ナットを介して一体的に締着するようにすることを特徴とする請求項１に記載の魚類と野菜の共生場。
【請求項８】
前記ラック体の最上方にハンガーが設けられることを特徴とする請求項１に記載の魚類と野菜の共生場。
【請求項９】
当該植物植栽槽の上方部位に植物の育成に必要な光源を提供するための発光ダイオードのＬＥＤランプである照明装置が設けられることを特徴とする請求項１に記載の魚類と野菜の共生場。
【請求項１０】
前記出水タンクと前記出水座との間に前記濾過綿を挟持するための２枚のくり抜き的挟み板が設けられ、前記出水座に出水孔が設けられ、前記出水孔の上方に天蓋が設けられ、前記天蓋は、頂部が封止され、内部がくり抜かれ、底部の円周部位に複数個の透孔が設けられることで、水が複数個の透孔から流入し、複数個の透孔の間に複数個のブレードが設けられ、前記天蓋の頂面の周囲部位に底まで通す複数個の通孔が設けられることで、外部の空気を複数個の通孔から前記出水座へ進入して断流状態に形成され、前記出水孔が下向きに前記出水管に案内接続され、前記出水管の上方に外径が拡径する係止縁が設けられ、前記係止縁の底面に止水ワッシャーが設けられ、前記出水管の外部に外ねじ山が設けられ、前記出水管は、上から下に前記出水タンクの前記出水孔に延出すると共に、ナットを介して前記出水管の外ねじ山内に締結固定するようにし、前記出水管の下方に外径が減縮する管ジョイントが設けられ、前記管ジョイントの内壁部位に内向きに突出し、前記管ジョイントの出水面積を縮小するための突縁が設けられることにより、真空引張力を生成することで乱流状態に形成され、前記出水管の内部にサイホン管が設けられ、前記サイホン管の上方に給水座が設けられ、前記給水座の外径が前記天蓋の内径よりも小さいことにより、給水空間が形成され、前記給水座の下方に外径が次第に縮径する円錐部が設けられ、前記円錐部の下方に出水管路が設けられることを特徴とする請求項１に記載の魚類と野菜の共生場。
【請求項１１】
前記サイホン管は、前記出水管路の外部に複数個の位置決めラチェットが設けられ、前記複数個の位置決めラチェットにより、前記出水管の内壁に位置決めされると同時に、前記複数個の位置決めラチェットを利用して前記サイホン管の高、低位置を上向きまたは下向きに調整することを特徴とする請求項１０に記載の魚類と野菜の共生場。
【請求項１２】
前記天蓋の前記複数個のブレードの内壁に、前記出水管の前記係止縁の底部に位置決めされるための複数個の位置決め部が設けられることを特徴とする請求項１０に記載の魚類と野菜の共生場。
【請求項１３】
前記突縁が占める面積は、前記管ジョイントの断面積の３分の１であることを特徴とする請求項１０に記載の魚類と野菜の共生場。
【発明の詳細な説明】
【技術分野】
【０００１】
本発明は、魚類と野菜の共生場に関するものであり、さらに詳しくは、野菜の栽培と魚類の養殖に応用可能な魚類と野菜の共生技術を利用した魚類と野菜の共生場に関するものである。
【背景技術】
【０００２】
国際連合食糧農業機関は、２０１４年を「家族農業年」に制定したのは、主に家族農業を推進することが望まれているからである。国内の「オーガニック食品店」では台湾各地からの有機農産物を購入できるにもかかわらず、大都会地域では、地元で生産された食料品についてはなかなか食することができないという状況にある。例えば、台北のオーガニック食品店には、やはり花蓮や雲林の有機農産物などが販売されていることがよく見受けられる。ところで、実際上、自宅で自ら野菜を作り、自ら魚類を飼育することができる。
【０００３】
ただ、都市型の農産品の栽培と漁業の養殖とは、別々に行われる別個の作業であるため、水資源を多く使いすぎたり、放出された廃水が環境を汚染してしまったりという問題があるため、適当なシステム整合に従って供水を農産品の栽培と漁業の養殖の両方の間に循環させて再利用することが可能であり、つまり、これによって魚類と野菜の共生システムをさせることが可能となる。
【０００４】
いわゆる魚類と野菜の共生システムの動作原理とは、自然界の生物間の相互作用を利用して動作するものであり、植物、魚、細菌や微生物などの基本的要素から構成される生態系を利用して魚類の排泄物を植物の養分に変換することができ、実際上、魚類の養殖により生じる廃水を利用して、細菌により硝化作用を行わせた後、植物の育成に必要な養分を生成して吸収されれば、最終的に廃水がまた浄化されて清浄な水を得ることができるので、魚類と野菜の共生系全体は、閉鎖的な水循環システムに構成され、養殖に水換えが不要になり、野菜作りに水やりが不要になるという利点を有すると同時に、有機栽培と養殖の技術に属し、人類により自然で健康的な食品を提供することができる。
【発明の概要】
【発明が解決しようとする課題】
【０００５】
しかしながら、現有の魚類と野菜の共生システムとしては、揚水ポンプを利用して水槽内の水と排泄物を汲み取って植物植栽箱に提供するものがほとんどである。次に、植物植栽箱に設けられたサイホン管部材を用いて水槽内に水を送り戻すが、現有の魚類と野菜の共生システムは、実際の操作応用時、依然として下記のような克服・解決すべきいくつかの課題と欠点が存在している。
課題１．水槽内の排泄物と残餌が発酵処理を経ずに、直ちに植物に提供され、植物が比較的に吸収しやすくない上、しかも植物の肥料傷害状況をもたらすおそれがある点。
課題２．植物の根系の生長が茂りすぎて水の流動を閉塞して水の循環が円滑に行えなくなる問題があり、水中の排泄物と残餌が水流に乗って除去されず、植物の根系に挟まれてしまい、植物の根系が空気と養分を吸収するのを阻害するため、植物の根系が黒くなり、植物の育成が強壮健康で維持できなくなる点。
課題３．サイホン管部材は、その溢水時の水位高低を調整することができず、異なる植物の根系に要する水位高低に合わせることができない点。
課題４．水槽と植栽箱の配置のためのラック体は、単一の規格と寸法の組立てのみ適用可能で、モジュール化することができないため、一般家族用の小型の魚類と野菜の共生システム、屋上・ベランダ庭園用の中型の魚類と野菜の共生システムや万坪超えの温室田畑用の大型の魚類と野菜の共生システムなどに幅広く適用されることが困難である点。
課題５．現有のサイホン管のいずれも、湾曲管を案内接続しなければ、真空引張力を生成することができず、実際の応用時、空間上の制限を受けやすくなり、かつ材料コストを無駄に浪費しやすくなる点。
【課題を解決するための手段】
【０００６】
そこで、本発明者は、本発明の前記課題を解決するため鋭意検討を重ねた結果、下記の通りの知見を得た。
課題１を解決するために応用できる技術的手段及び先行技術と対比しての作用効果一は、最上層の入水タンク近傍に濾過セットが設けられると共に、入水管を介して濾過セットの上方部位に案内接続され、濾過セットの中間に養殖箱の揚水モータと連結する給水管が設けられ、濾過セットの内部に入水管と給水管との間に介在し、濾過綿を挟持するための上下２枚のくり抜きの挟み板が設けられ、濾過セットの内部下方部位に肥料発酵貯蔵タンクと、放出管とが設けられ、養殖箱の汚水は、揚水モータを経由して濾過セットの内部まで汲み運ばれるとき、まず、濾過綿を利用して魚の排泄物と不純物を濾過して、濾過綿の底面に付着したこれらの排泄物と不純物は、給水管の水流を経由して下方の肥料発酵貯蔵タンク内へ洗い流されることで、より小分子の肥料になるように発酵させ、発酵してなるこれらのより小分子の肥料を、下から上への水流に乗って濾過綿を通過して、再び入水タンク内へ放出してから、入水タンクから均等に分配して複数個の植物植栽槽内に流入させることで、水をＳ字形に沿って上から下へと一層ずつ順次に複数個の植物植栽槽を流通させ、水中に含有するより小分子の肥料は、植物の育成に必要な栄養素として提供され、濾過浄化後の水を再び養殖箱内に流れ戻すことにある。
【０００７】
課題２を解決するために応用できる技術的手段及び先行技術と対比しての作用効果二は、植物植栽槽の底部に植物の根系が水の流通を阻害するのを防ぐための弧状仕切板が設けられ、弧状仕切板の両側に波状配置を呈する複数個の通孔が設けられ、水を前後、上下、左右に円滑に循環流通させることで、水中の排泄物と残餌は水流に乗って除去され、植物の根系に挟まれることなく、植物の根系には、空気と養分をスムーズに吸収させ、植物の根系が白色であり、植物の育成が強壮健康であることを確保することにある。
【０００８】
課題３を解決するために応用できる技術的手段及び先行技術と対比しての作用効果三は、植物植栽槽の両側にそれぞれ入水座と、出水座とが設けられ、出水座に出水孔が設けられ、出水孔の上方に天蓋が設けられ、天蓋の底部に複数個の透孔が設けられ、出水孔が下向きに出水管に案内接続され、出水管内にサイホン管が設けられ、サイホン管の外壁に複数個の位置決めラチェットが設けられることにより、出水管の内壁に位置高低を調整することで、溢水時の水位高低を制御するようにし、異なる植物の根系に要する水位高低に合わせて調整できることにある。
【０００９】
課題４を解決するために応用できる技術的手段及び先行技術と対比しての作用効果四は、ラック体は、複数個のジョイントと、複数本の垂直管と、複数本の水平管と、複数本の嵌挿ピンと、複数枚の止め片とから組み合わせてなり、ジョイントの内部は、中空状を呈し、ジョイントの両側に垂直配置を呈する２本のスリーブ接続管が設けられ、ジョイントの上、下は、２本の垂直管を挿設・案内接続するために供され、２本のスリーブ接続管は、２本の水平管を挿設・案内接続するために供され、ジョイント、スリーブ接続管と、垂直管、水平管との案内接続部位に対応の透孔が設けられ、透孔は、嵌挿ピンを挿設するために供されると共に、止め片を介して止着され、嵌挿ピンの延出端に環状溝が設けられ、止め片の環状溝に対応する部位に止め輪が設けられ、止め片の止め輪が嵌挿ピンの環状溝内に止着することにより、複数層の陳列空間を有するラック体を組み合わせてなり、一般家族用の小型の魚と野菜の共生システム、屋上・ベランダ庭園用の中型の魚類と野菜の共生システムや万坪超えの温室田畑用の大型の魚類と野菜の共生システムなどに幅広く適用されることにある。
【００１０】
課題５を解決するために応用できる技術的手段及び先行技術と対比しての作用効果五は、出水タンクに出水座が設けられ、出水座に出水孔が設けられ、出水孔の上方に天蓋が設けられ、天蓋の底部に複数個の透孔が設けられ、天蓋の頂面の周囲部位に底まで通す複数個の通孔が設けられることで、外部の空気を複数個の通孔から出水座へ進入して断流状態に形成され、出水孔は、出水管を貫設して締着するために供され、出水管は、サイホン管を貫設するために供され、サイホン管の上方に給水座が設けられ、給水座の外径が天蓋の内径よりも小さいことにより、給水空間が形成され、水が天蓋の複数個の透孔から、まず下から上へ、そして給水座から上から下へとサイホン管内に溢流し、出水管の下方に管ジョイントが設けられ、管ジョイントの内壁に内向きに突出し、管ジョイントの出水面積を縮小して乱流状態を形成するための突縁が設けられることで、サイホン管は、湾曲管に案内接続される必要なく、真空引張力を生成することができ、実際の応用上、サイホン管が垂直管に案内接続されるため、空間上の制限を受けない他、かつ湾曲管よりも垂直管のほうの材料コストがより節減できる。
【００１１】
かくして、本発明の要旨は次の（１）〜（１３）に記載の通りのものである。
（１）ラック体の下面は、養殖箱の配置のために供され、前記養殖箱の内部に揚水モータが設けられ、前記ラック体の上面は、複数個の植物植栽槽の配置のために供され、当該植物植栽槽の両側にそれぞれ入水タンクと、出水タンクとが設けられ、前記入水タンクと、前記出水タンクとにそれぞれ入水座と、出水座とが設けられ、前記入水座と、前記出水座とにそれぞれ入水管と、出水管とが設けられ、前記出水管を介して下層の前記入水タンクと連結する魚類と野菜の共生場であって、
最上層の前記入水タンク近傍に濾過セットが設けられると共に、前記入水管を介して前記濾過セットの上方部位に案内接続され、前記濾過セットの中間に前記養殖箱の前記揚水モータと連結する給水管が設けられ、前記濾過セットの内部に前記入水管と前記給水管との間に介在し、濾過綿を挟持するための上、下２枚のくり抜きの挟み板が設けられ、前記濾過セットの内部下方部位に肥料発酵貯蔵タンクと、放出管とが設けられ、前記養殖箱の汚水は、前記揚水モータを経由して前記濾過セットの内部まで汲み運ばれるとき、まず、前記濾過綿を利用して魚の排泄物と不純物を濾過して、前記濾過綿の底面に付着したこれらの排泄物と不純物は、前記給水管の水流を経由して下方の前記肥料発酵貯蔵タンク内へ洗い流されることで、より小分子の肥料になるように発酵させ、発酵してなるこれらのより小分子の肥料を、下から上への水流に乗って前記濾過綿を通過して、再び前記入水タンク内へ放出してから、前記入水タンクから均等に分配して複数個の植物植栽槽内に流入させることで、水をＳ字形に沿って上から下へと一層ずつ順次に前記複数個の植物植栽槽を流通させ、水中に含有するより小分子の肥料は、植物の育成に必要な栄養素として提供され、濾過浄化後の水を再び養殖箱内に流れ戻すことを特徴とする魚類と野菜の共生場。
【００１２】
（２）ラック体の下面は、養殖箱の配置のために供され、前記養殖箱の内部に揚水モータが設けられ、前記ラック体の上面は、複数個の植物植栽槽の配置のために供され、当該植物植栽槽の両側にそれぞれ入水タンクと、出水タンクとが設けられ、前記入水タンクと、前記出水タンクとにそれぞれ入水座と、出水座とが設けられ、前記入水座と、前記出水座とにそれぞれ入水管と、出水管とが設けられ、前記出水管を介して下層の前記入水タンクと連結する魚と野菜の共生場であって、
前記複数個の植物植栽槽の両側に中空を呈する外ねじ歯と、穿孔とが設けられ、相隣の当該植物植栽槽は、外ねじ歯を利用して別の当該植物植栽槽の穿孔に貫設されてから、ナットを介して一体的に締着するようにすることにより、前記複数個の植物植栽槽を一体的に直列接続してなり、前記入水タンクと前記出水タンクとの当該植物植栽槽の穿孔と外ねじ歯とに対応する部位に中空を呈する外ねじ歯と、穿孔とが設けられ、外ねじ歯は、前記穿孔内に貫入されると共に、ナットを介して一体的に締着するようにし、前記複数個の植物植栽槽と、複数個の前記入水座と、複数個の前記出水座との上方に複数個の蓋体が設けられ、当該蓋体の表面に大きさ不揃いのプラントポットの配置のための複数個の大孔と、複数個の小孔とが設けられ、大、小不揃いの植物を植栽するために供されることを特徴とする魚類と野菜の共生場。
【００１３】
（３）ラック体の下面は、養殖箱の配置のために供され、前記養殖箱の内部に揚水モータが設けられ、前記ラック体の上面は、複数個の植物植栽槽の配置のために供され、当該植物植栽槽の両側にそれぞれ入水タンクと、出水タンクとが設けられ、前記入水タンクと、前記出水タンクとにそれぞれ入水座と、出水座とが設けられ、前記入水座と、前記出水座とにそれぞれ入水管と、出水管とが設けられ、前記出水管を介して下層の前記入水タンクと連結する魚類と野菜の共生場であって、
当該植物植栽槽の底部に植物の根が水の流路を閉塞するのを防ぐための弧状仕切板が設けられ、前記弧状仕切板の両側に波状配置を呈する複数個の通孔が設けられ、水を前後、上下、左右に円滑に循環流通させることで、水中の排泄物と残餌は水流に乗って除去され、植物の根系に挟まれることなく、植物の根系には、空気と養分をスムーズに吸収させることを特徴とする魚類と野菜の共生場。
【００１４】
（４）前記ラック体は、複数個のジョイントと、複数本の垂直管と、複数本の水平管と、複数本の調整管と、複数個の脚座と、複数本の嵌挿ピンと、複数枚の止め片とから組み合わせてなり、当該ジョイントの内部は、中空状を呈し、当該ジョイントの両側に垂直配置を呈する２本のスリーブ接続管が設けられ、当該ジョイントの上、下は、２本の当該垂直管を挿設・案内接続するために供され、前記２本のスリーブ接続管は、２本の当該水平管を挿設・案内接続するために供され、最底面の当該ジョイントの下方に当該調整管が設けられ、当該調整管の下方に外ねじ山が設けられ、当該脚座の上方に内ねじ山が設けられ、当該脚座の内ねじ山を当該調整管の外ねじ山内に締め付けることによって、当該脚座は、地形の高低差に応じて伸長したり、短縮したりするように調整可能であり、当該ジョイント、当該スリーブ接続管と、当該垂直管、当該水平管、当該調整管との案内接続部位に対応の透孔が設けられ、透孔は、当該嵌挿ピンを挿設するために供されると共に、当該止め片を介して止着され、当該嵌挿ピンの延出端に環状溝が設けられ、当該止め片の当該環状溝に対応する部位に止め輪が設けられ、当該止め片の当該止め輪が当該嵌挿ピンの当該環状溝内に止着することにより、複数層の陳列空間を有するラック体を組み合わせてなることを特徴とする前記（１）に記載の魚類と野菜の共生場。
【００１５】
（５）当該植物植栽槽と、両側の前記入水タンク、前記出水タンクとの間に、当該植物植栽槽と、両側の前記入水タンクと、前記出水タンクとを一体的に連結固定するための複数枚のコ字形固定板が設けられることを特徴とする前記（１）に記載の魚類と野菜の共生場。
【００１６】
（６）前記入水座上に入水口が設けられ、最上層の前記入水口は、前記入水管を前記濾過セットの上方部位に案内接続するために供され、残りの前記入水口は、上一層の前記出水タンクの前記出水管との案内接続のために供され、前記入水座によって水の噴出を防止することを特徴とする前記（１）に記載の魚類と野菜の共生場。
【００１７】
（７）当該植物植栽槽の両側に中空を呈する外ねじ歯と、穿孔とが設けられ、相隣の当該植物植栽槽は、外ねじ歯を利用して別の当該植物植栽槽の穿孔に貫設されてから、ナットを介して一体的に締着するようにすることにより、前記複数個の植物植栽槽を一体的に直列接続してなり、前記入水タンクと前記出水タンクとの当該植物植栽槽の穿孔と外ねじ歯とに対応する部位に中空を呈する外ねじ歯と、穿孔とが設けられ、外ねじ歯は、穿孔内に貫入されると共に、ナットを介して一体的に締着するようにすることを特徴とする前記（１）に記載の魚類と野菜の共生場。
【００１８】
（８）前記ラック体の最上方にハンガーが設けられることを特徴とする前記（１）に記載の魚類と野菜の共生場。
【００１９】
（９）当該植物植栽槽の上方部位に植物の育成に必要な光源を提供するための発光ダイオードのＬＥＤランプである照明装置が設けられることを特徴とする前記（１）に記載の魚類と野菜の共生場。
【００２０】
（１０）前記出水タンクと前記出水座との間に前記濾過綿を挟持するための２枚のくり抜き的挟み板が設けられ、前記出水座に出水孔が設けられ、前記出水孔の上方に天蓋が設けられ、前記天蓋は、頂部が封止され、内部がくり抜かれ、底部の円周部位に複数個の透孔が設けられることで、水が複数個の透孔から流入し、複数個の透孔の間に複数個のブレードが設けられ、前記天蓋の頂面の周囲部位に底まで通す複数個の通孔が設けられることで、外部の空気を複数個の通孔から前記出水座へ進入して断流状態に形成され、前記出水孔が下向きに前記出水管に案内接続され、前記出水管の上方に外径が拡径する係止縁が設けられ、前記係止縁の底面に止水ワッシャーが設けられ、前記出水管の外部に外ねじ山が設けられ、前記出水管は、上から下に前記出水タンクの前記出水孔に延出すると共に、ナットを介して前記出水管の外ねじ山内に締結固定するようにし、前記出水管の下方に外径が減縮する管ジョイントが設けられ、前記管ジョイントの内壁部位に内向きに突出し、前記管ジョイントの出水面積を縮小するための突縁が設けられることにより、真空引張力を生成することで乱流状態に形成され、前記出水管の内部にサイホン管が設けられ、前記サイホン管の上方に給水座が設けられ、前記給水座の外径が前記天蓋の内径よりも小さいことにより、給水空間が形成され、前記給水座の下方に外径が次第に縮径する円錐部が設けられ、前記円錐部の下方に出水管路が設けられることを特徴とする前記（１）に記載の魚類と野菜の共生場。
【００２１】
（１１）前記サイホン管は、前記出水管路の外部に複数個の位置決めラチェットが設けられ、前記複数個の位置決めラチェットにより、前記出水管の内壁に位置決めされると同時に、前記複数個の位置決めラチェットを利用して前記サイホン管の高、低位置を上向きまたは下向きに調整することを特徴とする前記（１０）に記載の魚類と野菜の共生場。
【００２２】
（１２）前記天蓋の前記複数個のブレードの内壁に、前記出水管の前記係止縁の底部に位置決めされるための複数個の位置決め部が設けられることを特徴とする前記（１０）に記載の魚類と野菜の共生場。
【００２３】
（１３）前記突縁が占める面積は、前記管ジョイントの断面積の３分の１であることを特徴とする前記（１０）に記載の魚類と野菜の共生場。
【００２４】
本発明の説明において、「野菜」には、本発明に係る植栽又は栽培条件に適合して植栽又は栽培される植物すべてが包含される。
【発明の効果】
【００２５】
本発明は、前記の通りの構成からなり、前項に記載の如く、各課題毎にそれぞれ奏する各効果について記載した。総じて、魚類の養殖と野菜を初めとする植物の植栽を過不足ない栄養状態で有機的に効率良く達成可能な魚類と野菜の共生場を提供することができる。
【図面の簡単な説明】
【００２６】
【図１】本発明の一実施形態に係る魚類と野菜の共生場の組合せ斜視図である。
【図２】本発明の一実施形態に係る魚類と野菜の共生場のジョイントと、垂直管と、水平管とからなるラック体を示す分解斜視図である。
【図３】本発明の一実施形態に係る魚類と野菜の共生場のジョイントと、垂直管と、水平管と、調整管と、脚座とからなるラック体を示す分解斜視図である。
【図４】本発明の一実施形態に係る魚類と野菜の共生場の植物植栽槽と、入水タンクと、出水タンクとの組合せ斜視図である。
【図５】本発明の一実施形態に係る魚類と野菜の共生場の植物植栽槽の分解斜視図である。
【図６】本発明の一実施形態に係る魚類と野菜の共生場の植物植栽槽と、入水タンクとの分解斜視図である。
【図７】本発明の一実施形態に係る魚類と野菜の共生場の植物植栽槽と、出水タンクとの分解斜視図である。
【図８】本発明の出水タンクと、天蓋と、出水管と、サイホン管との組合せ断面斜視図である。
【図９】本発明の出水タンクと、天蓋と、出水管と、サイホン管との分解斜視図及びＤ部拡大図である。
【図１０】本発明の出水タンクと、天蓋と、出水管と、サイホン管との組合せ断面図である。
【図１１】図１０のＥ−Ｅ断面図である。
【図１２】図１０のＭ−Ｍ断面図である。
【図１３】本発明の一実施形態に係る魚類と野菜の共生場のサイホン管の使用状態図である。
【図１４】本発明の一実施形態に係る魚類と野菜の共生場のサイホン管の調整状態図である。
【図１５】本発明の一実施形態に係る魚類と野菜の共生場の濾過セットの分解斜視図である。
【図１６】本発明の一実施形態に係る魚類と野菜の共生場の使用時の側面状態図である。
【図１７】本発明の一実施形態に係る魚類と野菜の共生場の使用時の前面状態図である。
【図１８】図１７の一実施形態に係る魚類と野菜の共生場のＳ−Ｓ断面図である。
【図１９】図１７の一実施形態に係る魚類と野菜の共生場のＭ−Ｍ断面図である。
【図２０】図１７の一実施形態に係る魚類と野菜の共生場のＥ−Ｅ断面図である。
【図２１】本発明の一実施形態に係る魚類と野菜の共生場において大きいプラントポットを使用して大株の植物を植栽する状態図とＡ部拡大図である。
【図２２】本発明の一実施形態に係る魚類と野菜の共生場において小さいプラントポットを使用して小株の植物を植栽する状態図である。
【図２３】本発明の一実施形態に係る魚類と野菜の共生場の出水タンクの水を濾過した後、サイホン管と出水管とを経由して下向きに出水する状態図である。
【図２４】本発明の一実施形態に係る魚類と野菜の共生場において濾過浄化後の水を再び養殖箱に流れ戻す状態図である。
【発明を実施するための形態】
【００２７】
本発明について専門的に熟練した当業者が、本発明の構造、機能及びそれらによって達成される効果を容易に深く理解できるように、具体的実施例を列挙して図面を参照しながら、以下のように詳細に説明する。もっとも、本発明は、かかる図面等により限定されるものではない。
【００２８】
図１の本発明に係る魚類と野菜の共生場の組合せ斜視図に示すように、かかる魚類と野菜の共生場は、養殖箱１０と、ラック体２０と、複数個の植物植栽槽３０と、複数個の入水タンク４０と、複数個の出水タンク５０と、濾過セット６０と、複数個の照明装置７０とを備える。
【００２９】
そのうち、養殖箱１０の内部は、魚類の養殖のために供され、前記養殖箱１０の内部に揚水モータ１１が設けられる（図１６参照）。
【００３０】
ラック体２０（図１、図２、図３参照）は、複数個のジョイント２１と、複数本の垂直管２２と、複数本の水平管２３と、複数本の調整管２４と、複数個の脚座２５と、複数個のハンガー２６と、複数本の嵌挿ピン２７と、複数枚の止め片２８とから組み合わせてなり、ジョイント２１の内部は、中空状を呈し、ジョイント２１の両側に垂直配置を呈する２本のスリーブ接続管２９が設けられ、ジョイント２１の上、下は、２本の垂直管２２を挿設・案内接続するために供される。２本のスリーブ接続管２９は、２本の水平管２３を挿設・案内接続するために供され、最底面のジョイント２１の下方に調整管２４が設けられ、調整管２４の下方に外ねじ山２４１が設けられ、脚座２５の上方に内ねじ山２５１が設けられ、脚座２５の内ねじ山２５１を調整管２４の外ねじ山２４１内に締め付けることによって、脚座２５は、地形の高低差に応じて脚座２５を伸長したり、短縮したりするように調整できる。最頂面のジョイント２１の上方にハンガー２６が設けられ、ジョイント２１、スリーブ接続管２９と、垂直管２２、水平管２３、調整管２４との案内接続部位に対応の透孔２１１，２９１，２２１，２３１，２４２が設けられ、透孔２１１，２９１，２２１，２３１，２４２は、嵌挿ピン２７を挿設するために供されると共に、止め片２８を介して止着される。嵌挿ピン２７の延出端に環状溝２７１が設けられ、止め片２８の環状溝２７１に対応する部位にＣ字形の止め輪２８１が設けられる。止め片２８の止め輪２８１が嵌挿ピン２７の環状溝２７１内に止着できることにより、複数層の陳列空間を有するラック体２０を迅速に組み合わせてなり、ラック体２０の下面の一層は、養殖箱１０の配置のために供され、ラック体２０の上面の複数層は、複数個の植物植栽槽３０の配置のために供される。
【００３１】
複数個の植物植栽槽３０（図４、図５参照）は、ラック体２０の上面の複数層の陳列空間に整然と配列配置され、複数個の植物植栽槽３０の上方に複数個の蓋体３１が設けられ、蓋体３１の表面に複数個の大孔３２と、複数個の小孔３３とが設けられ、大きさ不揃いのプラントポット１，２の配置のために用いられ、大、小不揃いの植物（図２１、図２２参照）を植栽するために供される。植物植栽槽３０の底部に弧状仕切板３４が設けられ、植物の根が水の流路３４２を閉塞するのを防ぐために用いられ、弧状仕切板３４の両側に波状配置を呈する複数個の通孔３４１が設けられ、水を前後、上下、左右に円滑に循環流通させることができる。植物植栽槽３０の両側に中空を呈する外ねじ歯３５と、穿孔３６とが設けられ、相隣の植物植栽槽３０は、外ねじ歯３５を利用して別の植物植栽槽３０の穿孔３６に貫設されてから、ナット３７を介して一体的に締着するようにすることにより、複数個の植物植栽槽３０を一体的に直列接続してなり、植物植栽槽３０の最外両側にそれぞれ結合される入水タンク４０と、出水タンク５０とが設けられ、植物植栽槽３０と、入水タンク４０、出水タンク５０との間に、複数枚のコ字形固定板３８が設けられ、植物植栽槽３０と、入水タンク４０と、出水タンク５０とを一体的に連結固定するために用いられる。
【００３２】
複数個の入水タンク４０（図６参照）は、それぞれ奇数層の植物植栽槽３０の左側と偶数層の植物植栽槽３０の右側とに装着され、入水タンク４０の複数個の植物植栽槽３０の複数個の穿孔３６に対応する部位に中空を呈する複数個の外ねじ歯４１が設けられる。入水タンク４０の外ねじ歯４１は、植物植栽槽３０の穿孔３６内に貫入されると共に、ナット３７を介して一体的に締着するようにし、入水タンク４０の上方に蓋体３１が設けられ、蓋体３１の表面に複数個の大孔３２と、複数個の小孔３３とが設けられ、大きさ不揃いのプラントポット１，２の配置のために用いられ、大、小不揃いの植物を植栽するために供され、最上層の入水タンク４０の一側に入水座４２が設けられ、前記入水座４２に入水口４３が設けられ、入水管４４を案内接続するために用いられる（図１８参照）。
【００３３】
複数個の出水タンク５０（図７参照）は、それぞれ奇数層の植物植栽槽３０の右側と偶数層の植物植栽槽３０の左側とに装着され、出水タンク５０の複数個の植物植栽槽３０の複数個の外ねじ歯３５に対応する部位に複数個の穿孔５１が設けられる。植物植栽槽３０の外ねじ歯３５は、前記穿孔５１内に貫入されると共に、ナット３７を介して一体的に締着するようにし、出水タンク５０の上方に蓋体３１が設けられ、蓋体３１の表面に複数個の大孔３２と、複数個の小孔３３とが設けられ、大きさ不揃いのプラントポット１，２の配置のために用いられ、大、小不揃いの植物を植栽するために供され、出水タンク５０の中間に出水座５２（図８〜図１４参照)が設けられ、出水座５２の一側に出水タンク５０の壁面と底面に対応する部位に適当距離を隔てた２本のレール溝５２１が設けられ、出水タンク５０と出水座５２との間に２枚のくり抜きの挟み板５３が設けられ、濾過綿Ａを挟持するために用いられ、出水座５２の他側に出水孔５２２が設けられ、出水孔５２２の上方に天蓋５４が設けられ、天蓋５４の頂部が封止され、天蓋５４の内部がくり抜かれ、天蓋５４の底部の円周部位に複数個の透孔５４１が設けられることで、水が複数個の透孔５４１から流入することができる。複数個の透孔５４１の間に複数個のブレード５４２が設けられ、複数個のブレード５４２の内壁に複数個の位置決め部５４３が設けられ、天蓋５４の頂面の周囲部位に底まで通す複数個の通孔５４４が設けられることで、外部の空気を複数個の通孔５４４から出水座５２へ進入して断流状態に形成される。出水孔５２２は、出水管５５を貫設するために供され、出水管５５の上方に外径が拡径する係止縁５５１が設けられ、係止縁５５１の底面に止水ワッシャー５５２が設けられ、天蓋５４の複数個の位置決め部５４３は、係止縁５５１の底部に位置決めされ、出水管５５の外部に外ねじ山５５３が設けられ、出水管５５は、上から下に前記出水タンク５０の出水孔５２２に延出すると共に、ナットＮを介して出水管５５の外ねじ山５５３内に締結固定するようにし、出水管５５の下方に外径が減縮する管ジョイント５５４が設けられる。管ジョイント５５４の下方は、排水管５５６をスリーブ接続するために供され、排水管５５６を介して下層の入水タンク４０の入水座４２的入水口４３に連結され、管ジョイント５５４の内壁に内向きに突出する突縁５５５が設けられる。突縁５５５が占める面積は、管ジョイント５５４の断面積の３分の１であり、管ジョイント５５４の出水面積を縮小するために用いられ、これにより、真空引張力を生成することで乱流状態に形成され、出水管５５の内部にサイホン管５６が設けられ、サイホン管５６の上方に給水座５６１が設けられ、給水座５６１の外径が天蓋５４の内径よりも小さいことにより、給水空間５４５が形成され、給水座５６１の下方に外径が次第に縮径する円錐部５６２が設けられ、円錐部５６２の下方に出水管路５６３が設けられ、出水管路５６３の外部に複数個の位置決めラチェット５６４が設けられ、複数個の位置決めラチェット５６４により、出水管５５の内壁に位置決めされると同時に、複数個の位置決めラチェット５６４を利用してサイホン管５６の高、低位置を上向きまた��下向きに調整することができる。
【００３４】
濾過セット６０（図１５参照）の上方に出水口６１が設けられ、入水管４４を介して濾過セット６０の上方の出水口６１部位に案内接続され、濾過セット６０は、吊り下げ縄６２を介してラック体２０のハンガー２６上に吊り掛けられ、濾過セット６０の中間に給水口６３が設けられると共に、給水管６４を介して養殖箱１０の揚水モータ１１と互いに連結し、濾過セット６０の内部に入水管４４と給水管６４との間に介在する上、下２枚のくり抜きの挟み板６５，６６が設けられ、濾過綿Ａを挟持するために用いられ、濾過セット６０の内部下方部位に肥料発酵貯蔵タンク６７と、放出管６８とが設けられる。
【００３５】
照明装置７０（図１７参照）としては、発光ダイオードのＬＥＤランプであってもよく、照明装置７０は、植物の育成に必要な光源を提供するように、植物植栽槽３０の上方部位に設けられる。
【００３６】
上記の各部品構造から組み合わせてなる本発明によれば、魚類と野菜の共生場が提供され、実際の操作応用上、図１７〜図２０に示すように、養殖箱１０の汚水は、揚水モータ１１と給水管６４を経由して濾過セット６０の内部まで汲み運ばれるとき、まず、濾過綿Ａを利用して魚の排泄物と不純物を濾過して、濾過綿Ａの底面に付着したこれらの排泄物と残餌は、給水管６４の水流を経由して下方の肥料発酵貯蔵タンク６７内へ洗い流されることで、より小分子の肥料になるように発酵させ、発酵してなるこれらのより小分子の肥料を、下から上への水流に乗って濾過綿Ａを通過して、再び入水管４４を介して入水座４２の入水口４３を経て入水タンク４０内へ放出してから、入水タンク４０から均等に分配して複数個の植物植栽槽３０内に流入させることで、水中に含有するより小分子の肥料は、植物の育成に必要な栄養素として提供される。植物植栽槽３０内の水を、弧状仕切板３４の両側に波状を呈する通孔３４１を利用して、前後、上下、左右に円滑に循環流通させることで、水中の排泄物と残餌は水流に乗って除去され、植物の根系に挟まれることなく、植物の根系には、空気と養分をスムーズに吸収させることができる。植物の根系が白色であり、その育成が強壮健康であることを確保し、水が複数個の植物植栽槽３０の他側の出水タンク５０に流れるときになると、予め濾過綿Ａを利用して不純物を濾過した後、清浄な水が天蓋５４の底部の透孔５４１から、まず下から上へ、そして上から下へとサイホン管５６内に溢流し、本考案が提供するサイホン管５６は、湾曲管に案内接続される必要なく、真空引張力を生成することができるので、実際の応用上、かかる排水管５５６が垂直管であり、かつ下層の入水タンク４０に直接連結されるため、空間上の制限を受けない他、かつ湾曲管よりも垂直管のほうの材料コストがより節減でき、そして排水管５５６を介して下層の入水タンク４０の入水座４２的入水口４３に連結され（図２３参照）、水をＳ字形に沿って上から下へと一層ずつ順次に複数個の植物植栽槽３０を流通させることで、植物は、水中の肥料を吸収摂取することができ、濾過浄化後の水を再び前記出水タンク５０の排水管５５６から養殖箱１０（図２４参照）内に流れ戻す。
【産業上の利用可能性】
【００３７】
上記を総合すると、本発明は、魚類と野菜の共生場を提供し、本発明者が実際に製作完了し、反復して操作試験を行ったところ、本発明の予期された機能効果を的確に達成できることが実証された。
【符号の説明】
【００３８】
１：大きいプラントポット
２：小さいプラントポット
１０：養殖箱
１１：揚水モータ
２０：ラック体
２１：ジョイント
２１１：透孔
２２：垂直管
２２１：透孔
２３：水平管
２３１：透孔
２４：調整管
２４１：外ねじ山
２４２：透孔
２５：脚座
２５１：内ねじ山
２６：ハンガー
２７：嵌挿ピン
２７１：環状溝
２８：止め片
２８１：止め輪
２９：スリーブ接続管
２９１：透孔
３０：植物植栽槽
３１：蓋体
３２：大孔
３３：小孔
３４：弧状仕切板
３４１：通孔
３４２：流路
３５：外ねじ歯
３６：穿孔
３７：ナット
３８：コ字形固定板
４０：入水タンク
４１：外ねじ歯
４２：入水座
４３：入水口
４４：入水管
５０：出水タンク
５１：穿孔
５２：出水座
５２１：レール溝
５２２：出水孔
５３：挟み板
５４：天蓋
５４１：透孔
５４２：ブレード
５４３：位置決め部
５４４：通孔
５４５：給水空間
５５：出水管
５５１：係止縁
５５２：止水ワッシャー
５５３：外ねじ山
５５４：管ジョイント
５５５：突縁
５５６：排水管
５６：サイホン管
５６１：給水座
５６２：円錐部
５６３：出水管路
５６４：位置決めラチェット
６０：濾過セット
６１：出水口
６２：吊り下げ縄
６３：給水口
６４：給水管
６５：挟み板
６６：挟み板
６７：肥料発酵貯蔵タンク
６８：放出管
７０：照明装置
Ａ：濾過綿
Ｎ：ナット
【図１】
2018201507.tif 000003
【図２】
2018201507.tif 000004
【図３】
2018201507.tif 000005
【図４】
2018201507.tif 000006
【図５】
2018201507.tif 000007
【図６】
2018201507.tif 000008
【図７】
2018201507.tif 000009
【図８】
2018201507.tif 000010
【図９】
2018201507.tif 000011
【図１０】
2018201507.tif 000012
【図１１】
2018201507.tif 000013
【図１２】
2018201507.tif 000014
【図１３】
2018201507.tif 000015
【図１４】
2018201507.tif 000016
【図１５】
2018201507.tif 000017
【図１６】
2018201507.tif 000018
【図１７】
2018201507.tif 000019
【図１８】
2018201507.tif 000020
【図１９】
2018201507.tif 000021
【図２０】
2018201507.tif 000022
【図２１】
2018201507.tif 000023
【図２２】
2018201507.tif 000024
【図２３】
2018201507.tif 000025
【図２４】
2018201507.tif 000026